(57)【要約】【課題】近距離無線通信手段を備えていない端末においても、周囲の他の端末の状況に応じて自端末をマナーモードに設定する。【解決手段】本発明の移動通信システムは、自端末の周囲に位置する他の端末のうちマナーモードに設定されている端末の割合を示すマナーモード設定率に応じて自端末をマナーモードに設定する複数の端末と、複数の端末の各々の現在位置を示す位置情報およびマナーモードの設定状況を示すマナーモード設定情報を一括管理し、それらの情報に基づいて、複数の端末の各々にマナーモード設定率を提供する管理サーバと、を備える。【選択図】図１
2010056610.tif 000002
【特許請求の範囲】
【請求項１】
自端末の周囲に位置する他の端末のうちマナーモードに設定されている端末の割合を示すマナーモード設定率に応じて自端末をマナーモードに設定する複数の端末と、
前記複数の端末の各々の現在位置を示す位置情報およびマナーモードの設定状況を示すマナーモード設定情報を一括管理し、それらの情報に基づいて、前記複数の端末の各々に前記マナーモード設定率を提供する管理サーバと、を備えることを特徴とする移動通信システム。
【請求項２】
前記複数の端末の各々は、
自端末の現在位置を示す前記位置情報を取得する位置情報取得部と、
自端末のマナーモードの設定状況を示す前記マナーモード設定情報を取得する設定情報取得部と、
前記位置情報取得部にて前記位置情報が取得されると、該位置情報および前記設定情報取得部にて取得された前記マナーモード設定情報を含む、前記マナーモード設定率の送信要求を前記管理サーバに送信し、該送信要求に対する応答として、前記マナーモード設定率の計算結果を前記管理サーバから受信する通信部と、
前記通信部にて受信された前記マナーモード設定率の計算結果が所定の値以上の場合に、自端末をマナーモードに設定する設定自動変更部と、を有する請求項１に記載の移動通信システム。
【請求項３】
前記管理サーバは、
前記複数の端末の各々から受信された前記マナーモード設定率の送信要求に含まれる前記位置情報および前記マナーモード設定情報をデータベースに登録することで一括管理する管理部と、
前記複数の端末のいずれかから前記送信要求が受信されると、前記データベースに登録されている情報に基づいて、前記送信要求の送信元の端末の周囲の所定の範囲に位置する他の端末を対象とした前記マナーモード設定率を計算する計算部と、
前記計算部にて計算された前記マナーモード設定率の計算結果を、前記送信要求の送信元の端末に送信する送信部と、を有する請求項２に記載の移動通信システム。
【請求項４】
前記複数の端末の各々は、
前記所定の範囲の情報が入力される入力部をさらに有し、
前記通信部は、前記入力部に入力された前記所定の範囲の情報を前記管理サーバに送信し、
前記計算部は、前記複数の端末の各々から受信された前記所定の範囲の情報を用いて、前記マナーモード設定率を計算する、請求項３に記載の移動通信システム。
【請求項５】
前記入力部は、自端末の前記位置情報を取得する間隔が入力され、
前記位置情報取得部は、前記入力部に入力された前記間隔ごとに、自端末の前記位置情報を取得する、請求項４に記載の移動通信システム。
【請求項６】
マナーモードに設定可能な複数の端末と通信する管理サーバであって、
前記複数の端末の各々の現在位置を示す位置情報およびマナーモードの設定状況を示すマナーモード設定情報を一括管理する管理部と、
前記管理部にて一括管理されている情報に基づいて、前記複数の端末の各々の周囲に位置する他の端末のうちマナーモードに設定されている端末の割合を示すマナーモード設定率を前記複数の端末の各々に提供する提供部と、を有することを特徴とする管理サーバ。
【請求項７】
前記管理部は、前記複数の端末の各々から、前記マナーモード設定率の送信要求に含めて送信されてくる前記位置情報および前記マナーモード設定情報をデータベースに登録することで一括管理し、
前記提供部は、
前記複数の端末のいずれかから前記送信要求が受信されると、前記データベースに登録されている情報に基づいて、前記送信要求の送信元の端末の周囲の所定の範囲に位置する他の端末を対象とした前記マナーモード設定率を計算する計算部と、
前記計算部にて計算された前記マナーモード設定率の計算結果を、前記送信要求の送信元の端末に送信する送信部と、を有する請求項６に記載の管理サーバ。
【請求項８】
前記計算部は、前記複数の端末の各々から受信された前記所定の範囲の情報を用いて、前記マナーモード設定率を計算する、請求項７に記載の管理サーバ。
【請求項９】
管理サーバと通信する端末であって、
自端末の周囲に位置する他の端末のうちマナーモードに設定されている端末の割合を示すマナーモード設定率の送信要求を前記管理サーバに送信し、該送信要求に対する応答として、前記マナーモード設定率の計算結果を前記管理サーバから受信する通信部と、
前記通信部にて受信された前記マナーモード設定率の計算結果が所定の値以上の場合に、自端末をマナーモードに設定する設定自動変更部と、を有することを特徴とする端末。
【請求項１０】
自端末の現在位置を示す位置情報を取得する位置情報取得部と、
自端末のマナーモードの設定状況を示すマナーモード設定情報を取得する設定情報取得部と、をさらに有し、
前記通信部は、前記位置情報取得部にて前記位置情報が取得されると、該位置情報および前記設定情報取得部にて取得された前記マナーモード設定情報を、前記マナーモード設定率の送信要求に含めて前記管理サーバに送信する、請求項９に記載の端末。
【請求項１１】
前記管理サーバから受信された前記マナーモード設定率の計算結果は、前記端末の周囲の所定の範囲に位置する他の端末を対象として計算されたものであり、
前記所定の範囲の情報が入力される入力部をさらに有し、
前記通信部は、前記入力部に入力された前記所定の範囲の情報を前記管理サーバに送信する、請求項１０に記載の端末。
【請求項１２】
前記入力部は、自端末の前記位置情報を取得する間隔が入力され、
前記位置情報取得部は、前記入力部に入力された前記間隔ごとに、自端末の前記位置情報を取得する、請求項１１に記載の端末。
【請求項１３】
マナーモードに設定可能な複数の端末と通信する管理サーバが行う端末制御方法であって、
前記複数の端末の各々の現在位置を示す位置情報およびマナーモードの設定状況を示すマナーモード設定情報を一括管理する管理ステップと、
前記管理ステップで一括管理されている情報に基づいて、前記複数の端末の各々の周囲に位置する他の端末のうちマナーモードに設定されている端末の割合を示すマナーモード設定率を前記複数の端末の各々に提供する提供ステップと、を有することを特徴とする端末制御方法。
【請求項１４】
前記管理ステップでは、前記複数の端末の各々から、前記マナーモード設定率の送信要求に含めて送信されてくる前記位置情報および前記マナーモード設定情報をデータベースに登録することで一括管理し、
前記提供ステップは、
前記複数の端末のいずれかから前記送信要求が受信されると、前記データベースに登録されている情報に基づいて、前記送信要求の送信元の端末の周囲の所定の範囲に位置する他の端末を対象とした前記マナーモード設定率を計算する計算ステップと、
前記計算ステップで計算された前記マナーモード設定率の計算結果を、前記送信要求の送信元の端末に送信する送信ステップと、を有する請求項１３に記載の端末制御方法。
【請求項１５】
前記計算ステップでは、前記複数の端末の各々から受信された前記所定の範囲の情報を用いて、前記マナーモード設定率を計算する、請求項１４に記載の端末制御方法。
【請求項１６】
管理サーバと通信する端末が行うマナーモード設定方法であって、
自端末の周囲に位置する他の端末のうちマナーモードに設定されている端末の割合を示すマナーモード設定率の送信要求を前記管理サーバに送信し、該送信要求に対する応答として、前記マナーモード設定率の計算結果を前記管理サーバから受信する通信ステップと、
前記通信ステップで受信された前記マナーモード設定率の計算結果が所定の値以上の場合に、自端末をマナーモードに設定する設定自動変更ステップと、を有することを特徴とするマナーモード設定方法。
【請求項１７】
自端末の現在位置を示す位置情報を取得する位置情報取得ステップと、
自端末のマナーモードの設定状況を示すマナーモード設定情報を取得する設定情報取得ステップと、をさらに有し、
前記通信ステップでは、前記位置情報取得ステップで前記位置情報が取得されると、該位置情報および前記設定情報取得ステップで取得された前記マナーモード設定情報を、前記マナーモード設定率の送信要求に含めて前記管理サーバに送信する、請求項１６に記載のマナーモード設定方法。
【請求項１８】
前記管理サーバから受信された前記マナーモード設定率の計算結果は、前記端末の周囲の所定の範囲に位置する他の端末を対象として計算されたものであり、
前記所定の範囲の情報が入力される入力ステップをさらに有し、
前記通信ステップでは、前記入力ステップで入力された前記所定の範囲の情報を前記管理サーバに送信する、請求項１７に記載のマナーモード設定方法。
【請求項１９】
前記入力ステップでは、自端末の前記位置情報を取得する間隔を示す間隔が入力され、
前記位置情報取得ステップでは、前記入力ステップで入力された前記間隔ごとに、自端末の前記位置情報を取得する、請求項１８に記載のマナーモード設定方法。
【請求項２０】
マナーモードに設定可能な複数の端末と通信する管理サーバに、
前記複数の端末の各々の現在位置を示す位置情報およびマナーモードの設定状況を示すマナーモード設定情報を一括管理する管理手順と、
前記管理手順で一括管理されている情報に基づいて、前記複数の端末の各々の周囲に位置する他の端末のうちマナーモードに設定されている端末の割合を示すマナーモード設定率を前記複数の端末の各々に提供する提供手順と、を実行させることを特徴とするプログラム。
【請求項２１】
前記管理手順では、前記複数の端末の各々から、前記マナーモード設定率の送信要求に含めて送信されてくる前記位置情報および前記マナーモード設定情報をデータベースに登録することで一括管理し、
前記提供手順は、
前記複数の端末のいずれかから前記送信要求が受信されると、前記データベースに登録されている情報に基づいて、前記送信要求の送信元の端末の周囲の所定の範囲に位置する他の端末を対象とした前記マナーモード設定率を計算する計算手順と、
前記計算手順で計算された前記マナーモード設定率の計算結果を、前記送信要求の送信元の端末に送信する送信手順と、を有する請求項２０に記載のプログラム。
【請求項２２】
前記計算手順では、前記複数の端末の各々から受信された前記所定の範囲の情報を用いて、前記マナーモード設定率を計算する、請求項２１に記載のプログラム。
【請求項２３】
管理サーバと通信する端末に、
自端末の周囲に位置する他の端末のうちマナーモードに設定されている端末の割合を示すマナーモード設定率の送信要求を前記管理サーバに送信し、該送信要求に対する応答として、前記マナーモード設定率の計算結果を前記管理サーバから受信する通信手順と、
前記通信手順で受信された前記マナーモード設定率の計算結果が所定の値以上の場合に、自端末をマナーモードに設定する設定自動変更手順と、を実行させることを特徴とするプログラム。
【請求項２４】
前記端末に、
自端末の現在位置を示す位置情報を取得する位置情報取得手順と、
自端末のマナーモードの設定状況を示すマナーモード設定情報を取得する設定情報取得手順と、をさらに実行させ、
前記通信手順では、前記位置情報取得手順で前記位置情報が取得されると、該位置情報および前記設定情報取得手順で取得された前記マナーモード設定情報を、前記マナーモード設定率の送信要求に含めて前記管理サーバに送信する、請求項２３に記載のプログラム。
【請求項２５】
前記管理サーバから受信された前記マナーモード設定率の計算結果は、前記端末の周囲の所定の範囲に位置する他の端末を対象として計算されたものであり、
前記端末に、
前記所定の範囲の情報の入力を受け付ける入力手順をさらに実行させ、
前記通信手順では、前記入力手順で入力された前記所定の範囲の情報を前記管理サーバに送信する、請求項２４に記載のプログラム。
【請求項２６】
前記入力手順では、自端末の前記位置情報を取得する間隔の入力を受け付け、
前記位置情報取得手順では、前記入力手順で入力された前記間隔ごとに、自端末の前記位置情報を取得する、請求項２５に記載のプログラム。
【発明の詳細な説明】
【技術分野】
【０００１】
本発明は、移動通信システム、管理サーバ、端末、端末制御方法、マナーモード設定方法、およびプログラムに関する。
【背景技術】
【０００２】
現在市販されているほとんどの携帯移動端末は、電話や電子メールの着信時に、着信があった旨を、着信音を鳴らさずバイブレーターの振動等で所有者に報知するマナーモードに設定可能である。
【０００３】
しかし、現状の携帯移動端末は、所有者が手動操作でマナーモードに設定する構成になっているため、携帯移動端末をマナーモードに設定すべき場所（例えば、電車等の公共交通機関や劇場等）でマナーモードに設定しないなど、所有者の携帯移動端末の使用マナーに問題があった。
【０００４】
そのため、最近、手動操作以外の方法で携帯移動端末をマナーモードに設定する技術が提案されている。
【０００５】
例えば、特許文献１〜特許文献３では、所有者により、携帯移動端末をマナーモードに設定する場所や時間等の条件が携帯移動端末等に登録され、携帯移動端末は、それらの条件を満たす場合に、自身をマナーモードに設定する技術が提案されている。しかし、これらの技術では、携帯移動端末のサービスエリアの拡充が進んだ現在において、マナーモードに設定する場所や時間等の条件を全て網羅して登録しておくことは難しいという課題がある。
【０００６】
そのため、予め登録された場所や時間等の条件ではなく、携帯移動端末の周囲に位置する他の携帯移動端末の状況に応じて携帯移動端末をマナーモードに設定する技術が特許文献４や特許文献５で提案されている。
【０００７】
特許文献４で提案されている技術では、携帯移動端末は、周囲に位置する他の携帯移動端末と基地局を介さずに直接通信する、Ｂｌｕｅｔｏｏｔｈ等の近距離無線通信手段を用いて、周囲に位置する他の携帯移動端末の台数を計算し、その計算結果が所定の値以上の場合に、自身をマナーモードに設定する。
【０００８】
また、特許文献５で提案されている技術では、携帯移動端末は、近距離無線通信手段を用いて、周囲に位置する他の携帯移動端末のうちマナーモードに設定されている携帯移動端末の割合を計算し、その計算結果が所定の値以上の場合に、自身をマナーモードに設定する。
【特許文献１】特開２００７−１８９５９３号公報
【特許文献２】特開２００７−２２１５０２号公報
【特許文献３】特開２００３−２０９８８４号公報
【特許文献４】特開２００７−１３５００９号公報
【特許文献５】特開２００７−２２１６１５号公報
【発明の開示】
【発明が解決しようとする課題】
【０００９】
しかし、特許文献４や特許文献５で提案されている技術では、周囲に位置する他の携帯移動端末の状況を取得するために、携帯移動端末が近距離無線通信手段を備えている必要があり、近距離無線通信手段を備えていない携帯移動端末には適用できないという課題がある。
【００１０】
本発明の目的は、上述した課題を解決することができる移動通信システム、管理サーバ、端末、端末制御方法、マナーモード設定方法、およびプログラムを提供することにある。
【課題を解決するための手段】
【００１１】
上記目的を達成するために本発明の移動通信システムは、
自端末の周囲に位置する他の端末のうちマナーモードに設定されている端末の割合を示すマナーモード設定率に応じて自端末をマナーモードに設定する複数の端末と、
前記複数の端末の各々の現在位置を示す位置情報およびマナーモードの設定状況を示すマナーモード設定情報を一括管理し、それらの情報に基づいて、前記複数の端末の各々に前記マナーモード設定率を提供する管理サーバと、を備えることを特徴とする。
【００１２】
上記目的を達成するために本発明の管理サーバは、
マナーモードに設定可能な複数の端末と通信する管理サーバであって、
前記複数の端末の各々の現在位置を示す位置情報およびマナーモードの設定状況を示すマナーモード設定情報を一括管理する管理部と、
前記管理部にて一括管理されている情報に基づいて、前記複数の端末の各々の周囲に位置する他の端末のうちマナーモードに設定されている端末の割合を示すマナーモード設定率を前記複数の端末の各々に提供する提供部と、を有することを特徴とする。
【００１３】
上記目的を達成するために本発明の端末は、
管理サーバと通信する端末であって、
自端末の周囲に位置する他の端末のうちマナーモードに設定されている端末の割合を示すマナーモード設定率の送信要求を前記管理サーバに送信し、該送信要求に対する応答として、前記マナーモード設定率の計算結果を前記管理サーバから受信する通信部と、
前記通信部にて受信された前記マナーモード設定率の計算結果が所定の値以上の場合に、自端末をマナーモードに設定する設定自動変更部と、を有することを特徴とする。
【００１４】
上記目的を達成するために本発明の端末制御方法は、
マナーモードに設定可能な複数の端末と通信する管理サーバが行う端末制御方法であって、
前記複数の端末の各々の現在位置を示す位置情報およびマナーモードの設定状況を示すマナーモード設定情報を一括管理する管理ステップと、
前記管理ステップで一括管理されている情報に基づいて、前記複数の端末の各々の周囲に位置する他の端末のうちマナーモードに設定されている端末の割合を示すマナーモード設定率を前記複数の端末の各々に提供する提供ステップと、を有することを特徴とする。
【００１５】
上記目的を達成するために本発明のマナーモード設定方法は、
管理サーバと通信する端末が行うマナーモード設定方法であって、
自端末の周囲に位置する他の端末のうちマナーモードに設定されている端末の割合を示すマナーモード設定率の送信要求を前記管理サーバに送信し、該送信要求に対する応答として、前記マナーモード設定率の計算結果を前記管理サーバから受信する通信ステップと、
前記通信ステップで受信された前記マナーモード設定率の計算結果が所定の値以上の場合に、自端末をマナーモードに設定する設定自動変更ステップと、を有することを特徴とする。
【００１６】
上記目的を達成するために本発明の第１のプログラムは、
マナーモードに設定可能な複数の端末と通信する管理サーバに、
前記複数の端末の各々の現在位置を示す位置情報およびマナーモードの設定状況を示すマナーモード設定情報を一括管理する管理手順と、
前記管理手順で一括管理されている情報に基づいて、前記複数の端末の各々の周囲に位置する他の端末のうちマナーモードに設定されている端末の割合を示すマナーモード設定率を前記複数の端末の各々に提供する提供手順と、を実行させることを特徴とする。
【００１７】
上記目的を達成するために本発明の第２のプログラムは、
管理サーバと通信する端末に、
自端末の周囲に位置する他の端末のうちマナーモードに設定されている端末の割合を示すマナーモード設定率の送信要求を前記管理サーバに送信し、該送信要求に対する応答として、前記マナーモード設定率の計算結果を前記管理サーバから受信する通信手順と、
前記通信手順で受信された前記マナーモード設定率の計算結果が所定の値以上の場合に、自端末をマナーモードに設定する設定自動変更手順と、を実行させることを特徴とする。
【発明の効果】
【００１８】
本発明によれば、管理サーバは、複数の端末の各々の位置情報とマナーモード設定情報を一括管理し、それらの情報に基づいてマナーモード設定率を複数の端末の各々に提供し、複数の端末の各々は、管理サーバから提供されたマナーモード設定率に応じて、自端末をマナーモードに設定する。
【００１９】
したがって、複数の端末の各々は、近距離無線通信手段を備えていなくとも、周囲の他の端末の状況に応じて、自端末をマナーモードに設定することができるという効果が得られる。
【発明を実施するための最良の形態】
【００２０】
以下に、本発明を実施するための最良の形態について図面を参照して説明する。
【００２１】
図１に、本発明の一実施形態の移動通信システムの構成を示す。
【００２２】
図１に示すように、本実施形態の移動通信システムは、自身の周囲に位置する他の携帯移動端末のうちマナーモードに設定されている携帯移動端末の割合を示すマナーモード設定率に応じて自身をマナーモードに設定する携帯移動端末２０Ａ〜２０Ｃと、携帯移動端末２０Ａ〜２０Ｃの各々の現在位置を示す位置情報およびマナーモードの設定状況を示すマナーモード設定情報を一括管理し、それらの情報に基づいてマナーモード設定率を携帯移動端末２０Ａ〜２０Ｃの各々に提供する管理サーバ１０と、を有している。
【００２３】
なお、図１においては、３台の携帯移動端末２０Ａ〜２０Ｃが図示されているが、携帯移動端末は３台に限定されるものではなく、複数台であればよい。
【００２４】
また、携帯移動端末２０Ａ〜２０Ｃと管理サーバ１０との間の通信は、不図示の基地局を介して行われるものとする。
【００２５】
携帯移動端末２０Ａ〜２０Ｃの構成について、携帯移動端末２０Ａを例に挙げて、図２を用いて説明する。なお、携帯移動端末２０Ｂ，２０Ｃの構成も携帯移動端末２０Ａと同様である。
【００２６】
図２に示すように、携帯移動端末２０Ａは、ＣＰＵ２１と、操作部２２と、設定情報取得部２３と、設定情報データベース２４と、位置情報取得部２５と、タイマー部２６と、通信制御部２７と、設定自動変更部２８と、表示部２９と、を有している。
【００２７】
ＣＰＵ２１は、他の構成要素を制御する。
【００２８】
操作部２２は、所有者により、携帯移動端末２０Ａの電源をＯＮまたはＯＦＦにする操作や、携帯移動端末２０Ａをマナーモードに設定またはその設定を解除する操作が行われる他、以下のような情報を入力する操作が行われる。
・携帯移動端末２０Ａの周囲に位置し、マナーモード設定率の計算対象となる他の携帯移動端末を探索する範囲である端末情報探索エリアの情報（例えば、端末情報探索エリアを携帯移動端末２０Ａを中心としたエリアと定義する場合におけるそのエリアの半径等）。
・携帯移動端末２０Ａをマナーモードに設定するか否かを判定する際に、マナーモード設定率の計算結果と比較される値である閾値。
・携帯移動端末２０Ａの位置情報を取得する間隔である情報取得間隔。
【００２９】
設定情報取得部２３は、操作部２２に入力された端末情報探索エリアの情報、閾値、および情報取得間隔を設定情報データベース２４に登録する。
【００３０】
また、設定情報取得部２３は、携帯移動端末２０Ａのマナーモードの設定状況を判定し、設定・未設定のいずれかを示すマナーモード設定情報を設定情報データベース２４に登録する。
【００３１】
位置情報取得部２５は、所有者により、携帯移動端末２０Ａの電源がＯＮにされた場合、または、携帯移動端末２０Ａがマナーモードに設定された場合に、ＧＰＳ衛星３０からの電波を利用して携帯移動端末２０Ａの現在位置を測位することで現在の位置情報を取得する。
【００３２】
その後は、位置情報取得部２５は、タイマー部２６を用いて、設定情報データベース２４に登録された情報取得間隔ごとに位置情報を取得する。
【００３３】
なお、位置情報取得部２５は、上記で取得した位置情報を設定情報データベース２４に登録する。
【００３４】
通信制御部２７は、位置情報取得部２５にて位置情報が取得されると、その位置情報と、設定情報データベース２４に登録されているマナーモード設定情報および端末情報探索エリアの情報とを含む、マナーモード設定率の送信要求を管理サーバ１０に送信する。
【００３５】
また、通信制御部２７は、上記で送信した送信要求に対する応答として、管理サーバ１０からマナーモード設定率の計算結果を受信する。
【００３６】
設定自動変更部２８は、携帯移動端末２０Ａをマナーモードに設定するか否かを判定するために、通信制御部２７に受信されたマナーモード設定率の計算結果と設定情報データベース２４に登録されている閾値とを比較し、計算結果が閾値以上であり、携帯移動端末２０Ａがマナーモードに設定されていない場合に、携帯移動端末２０Ａをマナーモードに設定する。
【００３７】
その他、設定自動変更部２８は、所有者により携帯移動端末２０Ａをマナーモードに設定する操作が行われた場合にも、携帯移動端末２０Ａをマナーモードに設定する。
【００３８】
また、設定自動変更部２８は、携帯移動端末２０Ａをマナーモードに設定した場合、その旨を表示部２９に表示し、所有者に通知する。なお、この通知は、不図示のバイブレーターの振動等により行ってもよい。
【００３９】
次に、管理サーバ１０の構成について、図３を用いて説明する。
【００４０】
図３に示すように、管理サーバ１０は、ＣＰＵ１１と、受信部１２と、端末情報データベース１３と、計算部１４と、送信部１５と、を有している。
【００４１】
なお、受信部１２は管理部の一例であり、また、計算部１４と送信部１５とで提供部を構成する。
【００４２】
ＣＰＵ１１は、他の構成要素を制御する。
【００４３】
受信部１２は、携帯移動端末２０Ａ〜２０Ｃの各々からマナーモード設定率の送信要求を受信すると、送信要求に含まれる位置情報、マナーモード設定情報、および端末情報探索エリアの情報を端末情報データベース１３に登録する。
【００４４】
計算部１４は、受信部１２にマナーモード設定率の送信要求が受信されると、送信要求に含まれる位置情報および端末情報探索エリアの情報に基づいて、送信要求の送信元の携帯移動端末の周囲に位置する他の携帯移動端末のマナーモード設定情報を端末情報データベース１３から取得する。また、計算部１４は、取得したマナーモード設定情報に基づいて、上記の他の携帯移動端末を対象としたマナーモード設定率を計算する。
【００４５】
送信部１５は、計算部１４にて計算されたマナーモード設定率の計算結果を、送信要求の送信元の携帯移動端末に送信する。
【００４６】
以下に、本実施形態の通信移動システムの動作について、図４のフローチャートを参照して説明する。ここでは、マナーモードに未設定の携帯移動端末２０Ａからマナーモード設定率の送信要求を行う場合の動作について説明する。
【００４７】
図４に示すように、まず、携帯移動端末２０Ａにおいて、設定情報取得部２３は、所有者が入力した、事前に設定すべき項目（端末情報探索エリア、閾値、および情報取得間隔）の情報を、設定情報データベース２４に登録する（ステップ２０１）。なお、携帯移動端末２０Ａはマナーモードに未設定であるため、設定情報取得部２３は、未設定を示すマナーモード設定情報も設定情報データベース２４に登録する。
【００４８】
次に、携帯移動端末２０Ａにおいて、位置情報取得部２５は、設定情報データベース２４に登録されている情報取得間隔ごとに、現在位置の位置情報を取得し（ステップ２０２）、通信制御部２７は、その位置情報と設定情報データベース２４に登録されているマナーモード設定情報および端末情報探索エリアの情報とを含む、マナーモード設定率の送信要求を管理サーバ１０に送信する（ステップ２０３）。
【００４９】
次に、管理サーバ１０において、受信部１２は、端末情報データベース１３に登録されている携帯移動端末２０Ａの情報を、携帯移動端末２０Ａから受信したマナーモード設定率の送信要求に含まれている情報に更新する（ステップ１０１）。
【００５０】
次に、管理サーバ１０において、計算部１４は、端末情報データベース１３に登録されている携帯移動端末２０Ａ〜２０Ｃの情報に基づいて、携帯移動端末２０Ａの周囲の端末情報探索エリアに位置する携帯移動端末２０Ｂ，２０Ｃを対象としたマナーモード設定率を計算し（ステップ１０２）、送信部１５は、マナーモード設定率の計算結果を携帯移動端末２０Ａに送信する（ステップ１０３）。
【００５１】
その後、携帯移動端末２０Ａにおいて、設定自動変更部２８は、管理サーバ１０から受信したマナーモード設定率の計算結果が設定情報データベース２４に登録されている閾値以上である場合には（ステップ２０４）、携帯移動端末２０Ａをマナーモードに設定する（ステップ２０５）。
【００５２】
以降、携帯移動端末２０Ｃにおいては、設定情報データベース２４に登録されているマナーモード設定情報を未設定から設定に更新した上でステップ２０２の処理に戻り、また、管理サーバ１０においては、ステップ１０１の処理に戻る。
【００５３】
上述したように本実施形態においては、管理サーバ１０は、携帯移動端末２０Ａ〜２０Ｃの各々の位置情報とマナーモード設定情報を一括管理し、それらの情報に基づいてマナーモード設定率を携帯移動端末２０Ａ〜２０Ｃの各々に提供し、携帯移動端末２０Ａ〜２０Ｃの各々は、管理サーバ１０から提供されたマナーモード設定率に応じて、自身をマナーモードに設定する。
【００５４】
したがって、携帯移動端末２０Ａ〜２０Ｃは、近距離無線通信手段を備えていなくとも、周囲の他の携帯移動端末の状況に応じて、自身をマナーモードに設定することができるという効果が得られる。
【００５５】
そのため、携帯移動端末２０Ａ〜２０Ｃは、所有者が、マナーモードに設定すべき場所で、手動操作でマナーモードに設定するのを忘れても、周囲の他の携帯移動端末の状況に応じて自身をマナーモードに設定することができる。
【００５６】
さらに、携帯移動端末２０Ａ〜２０Ｃ自身をマナーモードに設定することが、周囲に位置する他の携帯移動端末をマナーモードに設定するトリガとなり、他の携帯移動端末にマナーモードが波及していく効果が期待される。
【００５７】
なお、本発明の管理サーバ１０および携帯移動端末２０Ａ〜２０Ｃにて行われる方法は、コンピュータに実行させるためのプログラムに適用してもよい。また、そのプログラムを記憶媒体に格納することも可能であり、ネットワークを介して外部に提供することも可能である。
【図面の簡単な説明】
【００５８】
【図１】本発明の一実施形態の移動通信システムの構成を示すブロック図である。
【図２】図１に示した携帯移動端末の構成の一例を示すブロック図である。
【図３】図１に示した管理サーバの構成の一例を示すブロック図である。
【図４】図１に示した移動通信システムの動作を説明するフローチャートである。
【符号の説明】
【００５９】
１０    管理サーバ
１１    ＣＰＵ
１２    受信部
１３    端末情報データベース
１４    計算部
１５    送信部
２０Ａ〜２０Ｃ    携帯移動端末
２１    ＣＰＵ
２２    操作部
２３    設定情報取得部
２４    設定情報データベース
２５    位置情報取得部
２６    タイマー部
２７    通信制御部
２８    設定自動変更部
２９    表示部
３０    ＧＰＳ衛星
【図１】
2010056610.tif 000003
【図２】
2010056610.tif 000004
【図３】
2010056610.tif 000005
【図４】
2010056610.tif 000006